(57)【要約】【課題】時と場合により異なる音報知への要求や希望の違いに対応できる使用しやすく不満を与えにくいものにする。【解決手段】音による報知手段３１、報知手段３１による報知の音量を切り換える音量切り換え手段３５、切り換えられた音量を表示する音量表示手段１３５を有し、音量切り換え手段３５が操作されると、音量表示手段１３５に音量切り換え開始状態であることを表示させ、その後音量切り換え手段３５が操作されると、音量表示手段１３５の表示状態を変化させて音量切り換え手段３５による音量切り換えを受け付け報知する音量を切り換える制御手段３４を備えたことにより、上記の目的を達成する。【選択図】図１
2007267955.tif 000002
【特許請求の範囲】
【請求項１】
音による報知手段と、報知手段による報知の音量を切り換える音量切り換え手段と、切り換えられた音量を表示する音量表示手段とを有し、音量切り換え手段が操作されると、音量表示手段に音量切り換え開始状態であることを表示させ、その後音量切り換え手段が操作されると、音量表示手段の表示状態を変化させて音量切り換え手段による音量切り換えを受け付け報知する音量を切り換える制御手段を備えたことを特徴とする食器洗い機。
【請求項２】
音による報知手段と、報知手段による報知の音量を切り換える音量切り換え手段と、音量を表示する表示素子とを有し、音量切り換え手段が操作されると、表示素子を点滅させ、報知する音量を切り換える制御手段を備えたことを特徴とする食器洗い機。
【請求項３】
表示素子は複数個有し、制御手段は音量に応じて点灯する表示素子を変化させる食器洗い機。
【請求項４】
音量の切り換え操作が「音量切り」であるとき、制御手段は表示素子を消灯させて「音切り」への切り換えを行う請求項２、３のいずれか１項に記載の食器洗い機。
【請求項５】
報知手段は、切り換えられた音量を音声で報知する請求項１〜４のいずれか１項に記載の食器洗い機。
【請求項６】
切り換えられた音量の音声報知中に、別の音量に切り換えられたとき、制御手段はその時点の音量の音声報知を中断し、切り換えられた別の音量につき音声報知する請求項５に記載の食器洗い機。
【請求項７】
制御手段は、切り換えられた音量に対応する音声データと、音量の切り換えを有効とする待ち時間分の無音声データと、前記切り換えを有効としたことに対応する音声データとが連続した報知データの読み出しによって、前記切り換えられた音量の報知を行なう請求項６に記載の食器洗い機。
【請求項８】
制御手段は、音量切り換え手段が操作された後、所定時間操作されなかったとき、その時点で切り換えられている音量につき、切り換え設定したことを音声報知する請求項１〜７のいずれか１項に記載の食器洗い機。
【請求項９】
報知は、切り換えられた音量にて行う請求項１〜８のいずれか１項に記載の食器洗い機。
【請求項１０】
音量の切り換えが「音量切り」であるとき、音量切り換えの報知は、音量切り換え手段によって切り換え可能ないずれかの音量にて行う請求項９に記載の食器洗い機。
【発明の詳細な説明】
【技術分野】
【０００１】
本発明は、食器の洗浄を行う食器洗い機に関し、さらに詳しくは操作、動作の状態を音で報知するようにした食器洗い機に関するものである。
【背景技術】
【０００２】
この種の食器洗い機は図７に例示するような構成のものが既に知られている（例えば、特許文献１参照。）。このものは、洗浄槽を内蔵した本体ａの前面の開口に例えば上下に開くドアｂ、ｃを有している。ドアｂ、ｃは下側のドアｂに備えたハンドルｄの操作で互いに連動して開閉される。ドアｂ、ｃにより開口を閉じることで洗浄槽を密閉し、洗浄液をポンプによって供給される各所のノズルが種々な向きで洗浄水を噴射して洗浄する際の水漏れを防止する。このため、ドアｂ、ｃに閉じ異常があると水漏れを防止できない。そこで、特許文献１はドアｂ、ｃの開閉を下側のドアｂの左右２箇所に対して開閉を検知する検知スイッチｅ、ｆを設けてドア開閉を検知し、ドア閉じ状態に異常があると報知する技術を開示しており、報知音の数や間隔、長さの違いなどによって報知の内容を告知できるようにしている。特許文献１には報知手段が圧電ブザーであり、これに代るスピーカや発光ダイオードでもよい旨、および１つの検知スイッチにより異常を検知する場合よりも対応が確実である旨、の記載がある。
【特許文献１】特開２０００−３２５２８９号公報
【発明の開示】
【発明が解決しようとする課題】
【０００３】
ところで、圧電ブザー、スピーカを利用した音でドアの開閉状態に応じた報知を行う場合、使用者によって、また、他の機器での音の報知や動作音など環境によって、聞き取りにくかったりすることがある。このような面では、報知音は基本的に大きいほど使用者に気付かれやすく分かりやすくなる。反面、報知音が大きいと他の機器での音報知の邪魔になる一方、当初音報知に頼っていた使用者でも使用に慣れてくると、音の報知に気付きやすく報知内容も分かりやすくなっていき、終には音報知が要らないまでに慣れて音報知がかえって煩わしく気障りになってくることも考えられる。
【０００４】
しかし、特許文献１に記載のもののようにいつでも同じ状態での音報知を行うのでは、上記のように時と場合によって音報知に対する必要や希望の違いに対応することができない。
【０００５】
また、特許文献１に記載のような圧電ブザー、スピーカによる音報知の数や間隔、時間、発光ダイオードによる光報知の点滅数や間隔、時間の違いなどによって報知と同時にその内容を告知しようとしても分かりずらく、使用者がその内容を知るには十分に慣れる必要がある。このような問題は報知の内容が複数になるほど大きい。
【０００６】
本発明の第１の目的は、時と場合により異なる音報知への要求や希望の違いに対応できる使用しやすく不満を与えにくい食器洗い機を提供することにあり、第２の目的は報知内容を音声により分かりやすくすることにある。
【課題を解決するための手段】
【０００７】
上記のような目的を達成するために、本発明の食器洗い機は、音による報知手段と、報知手段による報知の音量を切り換える音量切り換え手段と、切り換えられた音量を表示する音量表示手段とを有し、音量切り換え手段が操作されると、音量表示手段に音量切り換え開始状態であることを表示させ、その後音量切り換え手段が操作されると、音量表示手段の表示状態を変化させて音量切り換え手段による音量切り換えを受け付け報知する音量を切り換える制御手段を備えたことを１つの特徴としている。
【０００８】
このような構成では、報知手段により操作や動作の状態を音量表示手段により表示している音量の音で報知するのに、音量切り換え手段の操作があると、制御手段が音量表示手段により音量の切り換え開始状態であることを表示して使用者に告知し、その後の音量切り換え手段の操作によって、制御手段が音量表示手段の表示状態を変化させて音量の切り換え時点であることを使用者に告知しながら、音量切り換えを受け付けて報知する音量を切り換えることになる。
【０００９】
また、本発明の食器洗い機は、音による報知手段と、報知手段による報知の音量を切り換える音量切り換え手段と、音量を表示する表示素子とを有し、音量切り換え手段が操作されると、表示素子を点滅させ、報知する音量を切り換える制御手段を備えたことを今１つの特徴としている。
【００１０】
このような構成では、報知手段により操作や動作の状態を音量表示手段により表示している音量の音で報知するのに、音量切り換え手段の操作があると、制御手段が表示素子を点滅させて使用者にその旨を告知しながら音量を切り換えることになる。
【００１１】
表示素子は複数個有し、制御手段は音量に応じて点灯する表示素子を変化させる、さらなる構成では、
制御手段が複数の表示素子を音量に応じて点灯させることで、複数の音量の切り換え状態を使用者に明瞭に報知することができる。
【００１２】
音量の切り換え操作が「音量切り」であるとき、制御手段は表示素子を消灯させて「
音切り」への切り換えを行う、さらなる構成では、
制御手段が「音量切り」の音量切り換え操作に応じて表示素子を消灯させるので、音報知時の点灯状態との違いによって「音量切り」の切り換え状態であることを使用者に明確に告知しながら「音切り」への切り換えを行うことができる。
【００１３】
報知手段は、切り換えられた音量を音声で報知する、さらなる構成では、
報知手段が切り換えられた音量を音声で報知するので、切り換えられた音量の違いを使用者により明瞭に告知することができる。
【００１４】
切り換えられた音量の音声報知中に、別の音量に切り換えられたとき、制御手段はその時点の音量の音声報知を中断し、切り換えられた別の音量につき音声報知する、さらなる構成では、
報知手段により切り換えられた音量を報知しているとき、別の音量に切り換えられると制御手段が、その時点の音量の音声報知を中断し、切り換えられた別の音量につき音声報知するので、切り換えられる音量の報知を先の切り換え時の音量報知の途中にかかわらずその都度切り換えられる音量につきリアルタイムで音声報知することができる。
【００１５】
制御手段は、切り換えられた音量に対応する音声データと、音量の切り換えを有効とする待ち時間分の無音声データと、前記切り換えを有効としたことに対応する音声データとが連続した報知データの読み出しによって、前記切り換えられた音量の報知を行なう、さらなる構成では、
報知手段により切り換えられた音量を報知している途中で別の音量に切り換えられたとき、制御手段がその時点の音量の報知を中断し、切り換えられた別の音量につき報知するのに、切り換えられた音量に対応する音声データと、音量の切り換えを有効とする待ち時間分の無音声データと、前記切り換えを有効としたことに対応する音声データとが連続した報知データを読み出し用いることにより、切り換えが有効とならない時間経過前の次の切り換え操作による音声報知の中断切り換えの対応を図りながら、待ち時間満了にて切り換えを有効とするときの音声報知が１回読み出す１つの報知データにより達成できる。
【００１６】
制御手段は、音量切り換え手段が操作された後、所定時間操作されなかったとき、その時点で切り換えられている音量につき、切り換え設定したことを音声報知する、さらなる構成では、
音量切り換え手段による先の切り換え操作から所定時間次の操作がされないことにより、制御手段が先の切り換え操作による音量を有効として切り換え設定するのに、その音量を使用者に音声報知するので、使用者に音量の切り換え設定と同時にその音量を明確に音声告知できる。
【００１７】
報知は、切り換えられた音量にて行う、さらなる構成では、
音量切り換え手段による音量切り換え操作時の報知音量を、切り換えられた音量にて行うので、切り換えた音量を使用者に実感させながら音声報知できる。
【００１８】
音量の切り換えが「音量切り」であるとき、音量切り換えの報知は、音量切り換え手段によって切り換え可能ないずれかの音量にて行う、さらなる構成では、
音量切り換え手段による音量の切り換えが「音量切り」である場合でも、切り換え手段により切り換え可能ないずれかの音量で報知することで、「音量切り」への切り換えが行われたことを使用者に音声報知することができる。
【発明の効果】
【００１９】
本発明の食器洗い機の１つの特徴によれば、操作や動作の状態を音量表示手段が表示している音量で報知するのに、音量切り換え手段の繰り返し操作を音量表示手段の表示の変化により、特別な告知手段なく切り換え開始状態と切り換え時点との区別を使用者に告知しながら、的確に音量の切り換えが行われるようにして、音量を希望や環境に合わせて簡単かつ的確切り換えられて使用しやすくまた過剰音量による不満を与えにくい食器洗い機を提供することができる。
【００２０】
本発明の食器洗い機の今１つの特徴によれば、操作や動作の状態を音量表示手段が表示している音量で報知するのに、音量切り換え操作があると表示素子を点滅させて報知する音量を切り換え、表示素子の点滅により特別な告知手段なく切り換えを使用者に告知しながら的確に音量の切り換えが行われるようにして、音量を希望や環境に合わせて簡単かつ的確に切り換えられて使用しやすくまた過剰音量による不満を与えにくい食器洗い機を提供することができる。
【００２１】
複数の表示素子を音量に応じて点灯させることで、複数の音量の切り換え状態を使用者により明瞭に告知してさらに使用しやすくすることができる。
【００２２】
「音量切り」の音量切り換えに応じ表示素子を消灯させることで「音量切り」の切り換え状態であることを使用者に明確に表示、告知し、それ以降音報知が行われないことに使用者が不安や不信感を抱かないようにすることができる。
【００２３】
切り換えられた音量を音声で報知することで使用者に明瞭に告知し、さらに使用しやすい食器洗い機を提供できる。
【００２４】
切り換えられた音量を報知しているとき、別の音量に切り換えられるとその時点での音量の音声報知を中断し、切り換えられた別の音量につき音声報知するので、音声報知には所定の時間が掛かるものの、その都度切り換えられる音量の報知を先の切り換え時の音量報知に影響されることなくリアルタイムで使用者に告知でき、切り換え操作とそれに対応した音声報知とが時間的にずれたりする混乱なく使用しやすいものとすることができる。
【００２５】
切り換えられた音量を報知している途中に別の音量に切り換えられたとき、その時点の音量の報知を中断し、切り換えられた別の音量につき報知するのに、切り換えられた音量に対応する音声データと、音量の切り換えを有効とする待ち時間分の無音声データと、前記切り換えを有効としたことに対応する音声データとが連続した報知データを読み出し用いる簡単なデータ処理により対応することができる。従ってコスト低減が図れる。
【００２６】
先の切り換え操作から所定時間次の操作がされないとき切り換えを有効とする設定を、使用者への音声報知を伴い実行するので、最終の切り換え操作時点から遅れての音量の切り換え設定につき使用者に混乱を与えないで実行することができ、使用しやすい食器洗い機を提供することができる。
【００２７】
音量切り換え操作時の報知音量を切り換えられた音量にて行って、切り換えた音量を使用者に実感させながら容易かつ的確に切り換えられるようにすることができる。
【００２８】
音量の切り換えが「音量切り」である場合でも切り換え手段により切り換え可能ないずれかの音量で使用者に報知し、以降音や音声での報知が行われないことに使用者が不安や不信感を抱くようなことを回避することができる。
【発明を実施するための最良の形態】
【００２９】
以下、本発明の実施の形態に係る食器洗い機について図１〜図６を参照しながら説明し、本発明の理解に供する。なお、以下の説明は本発明の具体例であって特許請求の範囲の記載内容を限定するものではない。
【００３０】
本実施の形態の食器洗い機は既述したような基本構成を有し、図１に示す本体１に食器類を収容して洗浄を行う洗浄槽２を内部に有し、前面には食器類を洗浄槽２に出し入れするためのドア１ａを有した開口１ｂが設けられている。ドア１ａは閉じると開口１ｂまわりに設けた係合部にフック片が弾性係合することで閉じ状態にロックされるようになっており、ハンドルを操作して開くときはそのロックが自動的に解除されるようになっている。洗浄槽２は給水弁３から洗浄水を供給されて底部に溜める。洗浄槽２の底部に溜めている洗浄水は洗浄ポンプ４によって洗浄槽２内に設けられている図示しない洗浄ノズルに供給し、洗浄ノズルから洗浄槽２に収容している食器類に向けて噴出する。洗浄槽２の底部には水位検知手段１０があり洗浄槽２内の水位を検知し、電気信号として出力する。一方、洗浄槽２の底部にはヒータ５が配設され、洗浄水を加熱し洗浄水による洗浄効果を高める。これに併せ、洗浄槽２の底部に外側より密着するように取り付けた図示しないサーミスタなどの温度検知手段９を設けて、洗浄水の水温や洗浄槽２の温度を熱伝導により検知し、それらの温度制御に供する。また、洗浄槽２の底部内の洗浄水を排出する排水ポンプ６や、洗浄槽２内の蒸気を排気口から本体１外へ送り出し洗浄後の食器を乾燥させる送風ファン７も洗浄槽２のまわりに設けてある。開口１ｂまわりの本体１内にはドア１ａの開閉を検知するドア開閉検知手段８が設けられている。本体１はまた、給水弁３、洗浄ポンプ４、ヒータ５、排水ポンプ６、送風ファン７などを負荷制御手段１１を介して駆動し、洗い、すすぎ、乾燥の各行程を逐次制御する制御装置１２を内蔵している。
【００３１】
このような制御のために、本体１の前面にはドア１ａの下などに図２に示すような操作パネル１３が設けられている。操作パネル１３には電源を「入り」「切り」する電源入りスイッチ１４、電源切りスイッチ１５、運転開始および一時停止を行うスタート入力手段としてのスタートスイッチ１６、コースを設定するコーススイッチ１７、乾燥の時間を設定する乾燥スイッチ１８などを設けた入力手段２１と、それらの操作に応じた表示をＬＥＤなどによって行う操作表示手段２２とが設けられている。
【００３２】
制御装置１２は、マイクロコンピュータ等で構成し、入力手段２１により設定された入力と、ドア開閉検知手段８、温度検知手段９、水位検知手段１０からの入力情報とに応じて、負荷制御手段１１を介し給水弁３、洗浄ポンプ４、ヒータ５、排水ポンプ６、送風ファン７などの負荷と、ＬＥＤなどの操作表示手段２２と、報知手段３１を予め定められたシーケンスに沿って制御する。報知手段３１は通常、ドア開閉検知手段８からのドア開閉情報により検知する閉じ異常、水位検知手段１０からの水位情報により検知する給水異常や排水異常、運転終了などに際して動作させる。これらのために、異常を判定し検知する異常検知手段３２を制御装置１２の内部機能として備えている。なお、負荷制御手段１１や制御装置１２は電源回路１３３にて生成された電源が供給される。
【００３３】
ここで、以上のような食器洗い機の一連の動作について、その概略を説明する。使用者が食器類を食器かごに配置して洗浄槽２に収納し、洗剤を入れ、ドア１ａを閉めた後に電源入りスイッチ１４とスタートスイッチ１６との操作で運転を開始すると、まず洗浄槽２の底部に水位検知手段１０が所定の水位を検知するまで給水弁３から水道水が給水される。そして、洗浄ポンプ４およびヒータ５に通電され、洗浄水は加熱されながら洗浄ポンプ４により食器類に向けて洗浄ノズルから噴出される。
【００３４】
このとき、温度検知手段９により洗浄水の温度を検知し、制御装置１２は常に洗浄水の温度を把握している。洗浄水の温度が所定の温度に到達したとき、あるいは、洗浄開始から所定時間経過したとき、制御装置１２は洗浄行程を終了し、排水ポンプ６に通電して、一旦洗浄水を排水する。
【００３５】
つぎに、新たに水道水が給水され、前述の洗浄行程と同様の動作を数分間行い排水する。このすすぎ行程を数回くり返した後、加熱すすぎ行程と称する洗浄行程と同様の動作を行い、所定温度に到達したとき、あるいは、所定時間経過したとき、これを終了として排水する。最後に送風ファン７を運転して洗浄槽２内の蒸気を機外へ排出すると同時に、ヒータ５に通電を行い食器類を加熱して、付着している水滴を乾燥させる。
【００３６】
このような構成において、異常検知手段３２による異常検知や運転終了に際して報知手段３１を動作させて使用者に報知するのに、従来、単純なブザー音やＬＥＤによっていたのに代って、本実施の形態では、図１に示すように報知手段３１として、音声報知手段３１ａ、メロディ報知手段３１ｂ、ブザー報知手段３１ｃを設けて、「音声」「メロディ」「ブザー」による報知ができるようにするのに併せ、これら報知につき「音声」「メロディ」「ブザー」もしくは「切り」の切り換えを行わせる報知切り換え手段３３を入力手段２１に設けて、例えば１つのスイッチによるロータリ方式での切り換え状態を操作表示手段２２に設けたＬＥＤ３３ａ〜３３ｄが順次に繰り返し点灯することによって確認できるようにしながら、異常検知手段３２による異常検知時や運転終了時に制御装置１２の内部機能を利用した制御手段３４により報知の切り換えに応じた報知を行うようにしている。なお、音声報知手段３１ａ、メロディ報知手段３１ｂは共通の出力機器とすることができるし、場合によってはブザー報知手段３１ｃをも共通の出力機器とすることもできる。しかし、ブザー報知手段３１ｃは圧電ブザーといった簡単なものを採用するとコストがほとんど掛からず駆動制御が簡単になる利点がある。
【００３７】
このような報知制御では、異常検知時や運転終了時に制御手段３４により報知手段３１を動作させて離れた使用者にも告知しやすい音での報知を行うのに、報知が報知切り換え手段３３による「音声」「メロディ」「ブザー」もしくは「切り」の切り換えに従って行われるので、使用者は報知の内容が分かりやすい「音声」「メロディ」の順に選択するように切り換えて、慣れや他の機器など使用環境との関係などから報知状態の単純化を図っていき、場合によっては最も単純な「ブザー」を選択する切り換えを行い、報知を行わない「切り」を選択する切り換えも含め、使用者は４種類の報知状態が設定できるようになる。この結果、異常検知や動作終了に関した離れた使用者にも告知しやすい音での報知を、報知の内容が分かりやすい「音声」「メロディ」「ブザー」「切り」の順に単純化し、また報知の省略を図る使用者の選択に基づき実行して使用しやすく的確で素早い対応ができるようにしながら、過剰な報知による不満や他の機器への影響を与えにくい食器洗い機を提供することができる。
【００３８】
もっとも、報知は「音声」「メロディ」「ブザー」のうち少なくとも２つによって行なう場合でも本発明は有効である。
【００３９】
また、本実施の形態では、制御手段３４によって「音声」「メロディ」「ブザー」での報知を行うときの音量を変更する音量切り換え手段３５を入力手段２１として設け、例えば１つのスイッチによる「小」「中」「大」といったロータリ方式での切り換え状態を操作表示手段２２として設けたＬＥＤ３５ａ〜３５ｃが順次に繰り返し点灯することによって確認できるようにしながら、切り換え操作できるようにしている。これにより、使用者は自身の希望や環境との関係から、音量切り換え手段３５によって報知モードの種類の違いにかかわらず、それらの音量を「小」「中」「大」などと順次に変更することができる。
【００４０】
この場合、「メロディ」「ブザー」の音量は「一定音量」のみとし、音量切り換え手段３５は「音声」の音量のみを変更するようにもできる。このようにすると、使用者や環境に影響しにくい「メロディ」「ブザー」での報知モードで一定音量、例えば離れた使用者にも告知しやすくまた使用者や環境に影響しない適度な一定音量としながら、使用者や環境に影響しやすい「音声」での報知モードでは音量切り換え手段３５により音量を変更することができるようになる。
【００４１】
また、報知の「切り」への切り換え状態では、異常検知手段３２により異常が検知されると制御手段３４は報知手段３１を動作させるようにすることができる。これにより、報知が「切り」に切り換えられているときでも、異常が検知されると報知手段３１を動作させて報知を行うので、異常についての報知が行われなくなるのを回避することができる。
【００４２】
次に、制御装置１２による図３に示す具体的な報知の制御例につき説明すると、ステップＳ１で報知要求が確認されると、ステップＳ２にて報知の切り換え状態を判定する。次いでステップＳ３で異常の判定をし、ドア閉じ異常、給水異常、排水異常などの異常の報知であるときは、ステップＳ２で判定した切り換えられたモードに応じた異常の報知を行う。
【００４３】
具体的には、異常が、ドア閉じ異常であると、ステップＳ４にてドア閉じ異常に関連した報知切り換えに対応した報知データを読み込み、ステップＳ８にて報知の切り換えに対応した報知手段３１をステップＳ４で読み込んだ報知データにて駆動し、ドア閉じ異常であることの報知を行う。
【００４４】
異常が、給水異常であると、ステップＳ５にて給水異常に関連し、報知切り換えに対応した報知データを読み込み、ステップＳ８にて報知の切り換えに対応した報知手段３１をステップＳ５で読み込んだ報知データにて駆動し、給水異常であることの報知を行う。
【００４５】
異常が、排水異常であると、ステップＳ６にて排水異常に関連し、報知切り換えに対応した報知データを読み込み、ステップＳ８にて報知の切り換えに対応した報知手段３１をステップＳ６で読み込んだ報知データにて駆動して排水異常であることの報知を行う。
【００４６】
ステップＳ３にて異常でない場合は運転の終了であるので、ステップＳ７にて運転終了に関連し、報知切り換えに対応した報知データを読み込み、ステップＳ８にて報知の切り換えに対応した報知手段３１をステップＳ７で読み込んだ報知データにて駆動して運転が終了したことの報知を行う。
【００４７】
一方、ステップＳ２での報知の切り換えが切りであれば、ステップＳ４〜ステップＳ８の報知は行わず、ステップＳ９にて運転終了を確認してからブザー報知手段３１ｃによりステップＳ４〜ステップＳ８を経た場合に比し単純な報知を行う。
【００４８】
また、以上のように報知手段３１の音声報知手段３１ａ、メロディ報知手段３１ｂ、ブザー報知手段３１ｃなどにより「音声」「メロディ」「ブザー」での報知音量を音量変更手段３５によって切り換える操作が容易かつ的確に行われるようにするには、音による報知手段３１と、報知手段３１による報知の音量を切り換える音量切り換え手段３５と、切り換えられた音量を表示する既述したＬＥＤ３５ａ〜３５ｃなどの表示素子を用いるなどした音量表示手段１３５とを利用し、音量切り換え手段３５が操作されると、制御手段３４により音量表示手段１３５に、例えば、現時点で切り換えられている音量に対応するものの消灯、点滅、点灯を含めた各種の状態、より具体的には消灯から点滅への変化で音量切り換え開始状態であることを表示させ、その後音量切り換え手段３５が操作されると、音量表示手段１３５の表示状態を例えば、点滅から点灯などと変化させて音量切り換え手段３５による音量切り換えを受け付け報知する音量を切り換えるようにすればよい。これによって、報知手段３１により操作や動作の状態を音量表示手段１３５により表示している音量の音で報知するのに、音量切り換え手段１３５の操作があると、制御手段３４が音量表示手段１３５により音量の切り換え開始状態であることを表示して使用者に告知し、その後の音量切り換え手段１３５の操作によって、制御手段３４が音量表示手段１３５の表示状態を変化させて音量の切り換え時点であることを使用者に告知しながら、音量切り換えを受け付けて報知する音量を切り換えることになる。
【００４９】
この結果、操作や動作の状態を音量表示手段１３５が表示している音量で報知するのに、音量切変え手段３５の繰り返し操作を音量表示手段１３５の表示の変化により、特別な告知手段なく切り換え開始状態と切り換え時点との区別を使用者に告知しながら、的確に音量の切り換えが行われるようにして、音量を希望や環境に合わせて簡単かつ的確に切り換えられて使用しやすくまた過剰音量による不満を与えにくい食器洗い機を提供することができる。
【００５０】
ここで、音量表示手段１３５として利用できる表示素子は、既述のＬＥＤのほか有機ＥＬ表示素子やＬＣＤ液晶表示素子などがあり、いずれもＬＥＤ３５ａ〜３５ｃの場合で述べた消灯、点滅、点灯の単純な区別を持った表示ができ、音量切り換え手段３５が操作されると、表示素子を点滅させ、報知する音量を切り換える制御をすることにより、表示素子の点滅により特別な告知手段なく切り換えを使用者に告知しながら的確に音量の切り換えが行われるようにして、音量を希望や環境に合わせて簡単かつ的確に切り換えられて使用しやすくまた過剰音量による不満を与えにくい食器洗い機を提供することができる。
【００５１】
表示素子は図２に示す既述したＬＥＤ３５ａ〜３５ｃのように複数個有していることに関連して、本実施の形態では制御手段３４が音量に応じて点灯するＬＥＤ３５ａ〜３５ｃなどの表示素子を変化させるようにしている。このように、制御手段３４が複数のＬＥＤ３５ａ〜３５ｃなどの表示素子を音量に応じて点灯させることで、複数の音量の切り換え状態を使用者に明瞭に報知することができる。図２に示す例では、報知音量を既述のように「大」「中」「小」と３種類に切り換えるのに、３つのＬＥＤ３５ａ〜３５ｃを対応させて、切り換える音量の違いを点灯するＬＥＤ３５ａ〜３５ｃの違いとして使用者に表示できるようにしてあり、それぞれのＬＥＤ３５ａ〜３５ｃには表示する音量に対応する「大」「中」「小」の文字表示１３５ａを付して使用者に明示している。これに併せ、ＬＥＤ３５ａ〜３５ｃのそれぞれは表示する音量の大きさに見合った大きさ、具体的には長さを有したものとして、切り換え開始時点や切り換え時点で点滅、点灯などされるＬＥＤ３５ａ〜３５ｃの違いによる対応音量が「大」「中」「小」のいずれであるかを使用者に直感されやすくするので、種々な選択操作が行われる食器洗い機を使用しやすいものとすることができる。
【００５２】
また、音量の切り換え操作が音量の「切り」であるとき、制御手段３４はＬＥＤ３５ａ〜３５ｃなどの表示素子を消灯させて音量の「切り」への切り換えを行うようにしている。このように、制御手段３４が「切り」の音量切り換え操作に応じてＬＥＤ３５ａ〜３５ｃなどの表示素子を消灯させると、音報知時の点灯状態との違いによって音量「切り」の切り換え状態であることを使用者に明確に表示、告知しながら「音切り」への切り換えを行うことになるので、それ以降、音報知が行われないことに使用者が不安や不信感を抱かないようにすることができる。
【００５３】
しかも、報知手段３１は報知切り換え手段３３による切り換えに従い、切り換えられた音量を音声報知手段３１ａにより音声で報知できる。これにより、切り換えられた音量の違いを使用者により明瞭に告知することができ、さらに使用しやすい食器洗い機を提供できる。
【００５４】
この場合、音声報知手段３１ａによる切り換えられた音量の音声報知中に、別の音量に切り換えられたとき、制御手段３４はその時点の音量の音声報知を中断し、切り換えられた別の音量につき音声報知手段３１ａにより音声報知するようにする。これにより、音声報知手段３１ａにより切り換えられた音量を報知しているとき、別の音量に切り換えられると制御手段３４が、その時点の音量の音声報知を中断し、切り換えられた別の音量につき音声報知するので、切り換えられる音量の報知を先の切り換え時の音量報知の途中にかかわらずその都度切り換えられる音量につきリアルタイムで音声報知することができ、切り換え操作とそれに対応した音声報知とが時間的にずれたりする混乱なく使用しやすいものとすることができる。
【００５５】
このように制御手段３４により音声報知の中断を伴う新規報知の措置を行なうのに、図４に示すような切り換えられた音量に対応する音声データＤ１と、音量の切り換えを有効とする待ち時間ｔ分の無音声データＤ２と、前記切り換えを有効としたことに対応する音声データＤ３とが連続した報知データＤの読み出しによって、前記切り換えられた音量の報知を行なうようにしている。これにより、図４に例示するように、音声報知手段３１ａの先の切り換え操作により音量を例えば「大」に切り換えられたことにつき報知１を行なっている途中、つまり切り換えを有効とする待ち時間ｔが経過しないデータＤ１やデータＤ２での報知途中で、次の切り換え操作で別の音量例えば「中」に切り換えられたとき、制御手段３４がその時点の音量の報知１を中断し、切り換えられた別の音量「中」についての音声での報知２を行い、待ち時間ｔが満了するまでつまり、データＤ１、Ｄ２での報知を終えるまで次の切り換え操作がなければ切り換え有効として音量の切り換え設定と共にデータＤ３による切り換え設定の報知を行うことになり、いずれの音量への切り換えに対しても、音声データＤ１と、音量の切り換えを有効とする待ち時間分の無音声データＤ２と、前記切り換えを有効としたことに対応する音声データＤ３とが連続した報知データＤを、切り換えられた音量に対応して読み出し用いればよくなる。従って、切り換えが有効とならない所定時間ｔ経過前の次の切り換え操作、つまり報知が有効待ち時間ｔ後の音声データＤ３による報知に至る前のデータＤ１、Ｄ２での報知中に切り換え操作があるときの音声報知の中断、次の切り換え操作への音声報知の切り換え対応を図りながら、待ち時間ｔ満了にて切り換えを有効とするときの音声報知、つまり待ち時間ｔが満了して切り換えが完了し音声データＤ３による報知に移行する報知措置が、音量の切り換え操作ごとに１回読み出す１つの報知データＤにより達成できる。従って、１つの報知データＤを読み出し用いる簡単なデータ処理により対応することができ、コスト低減が図れる。
【００５６】
このような制御手段３４の制御は、音量切り換え手段３５が操作された後、所定時間操作されなかったとき、その時点で切り換えられている音量につき、切り換え設定したことを音声報知することを達成するものであり、音量切り換え手段３５による先の切り換え操作から所定時間次の操作がされないことにより、制御手段３４が先の切り換え操作による音量を有効として切り換え設定するのに、その音量を使用者に音声報知するので、使用者に音量の切り換え設定と同時にその音量を明確に音声告知でき、上記データ処理により簡単に実現するし、最終の切り換え操作時点から遅れての音量の切り換え設定につき使用者に混乱を与えないで切り換えを実行することができ、使用しやすい食器洗い機を提供することができる。
【００５７】
また、音量の切り換えに伴なう音や音声による報知は、切り換えられた音量にて行うようにしている。このように、音量切り換え手段３５による音量切り換え操作時の報知音量を、切り換えられた音量にて行うと、切り換えた音量を使用者に実感させながら音声報知できる。この結果、音量切り換え操作時の報知音量を切り換えられた音量にて行って、切り換えた音量を使用者に実感させながら容易かつ的確に切り換えられるようにすることができる。
【００５８】
さらに、音量の切り換えが「音量切り」であるとき、音量切り換えの報知は、音量切り換え手段３５によって切り換え可能ないずれかの音量にて行うようにしている。これにより、音量切り換え手段３５による音量の切り換えが「音量切り」である場合でも、切り換え手段３５により切り換え可能ないずれかの音量で報知することで、「音量切り」への切り換えが行われたことを使用者に音声報知することができる。従って、音量の切り換えが「音量切り」である場合でも切り換え手段３５により切り換え可能ないずれかの音量で使用者に報知し、以降音や音声での報知が行われないことに使用者が不安や不信感を抱くようなことを回避することができる。
【００５９】
次に、制御装置１２による図５に示す具体的な音量切り換え制御例について説明すると、ステップＳ３１で切り換え操作があると、ステップＳ３２にて初期設定を含み現在切り換えられ、設定されている音量が「大」「中」「小」「切り」のどれかを判定する。判定結果からそれら切り換え操作の都度順次にロータリ方式に切り換える制御上、現在の音量が「大」であれば「中」に、「中」であれば「小」に、「小」であれば「切り」に、「切り」であれば「大」にと一段後位の音量に切り換えていくべく、現在の音量が「大」であればステップＳ３３以下の音量「中」の切り換え制御に、現在の音量が「中」であればステップＳ４１以下の音量「小」の切り換え制御に、現在の音量が「小」であればステップＳ５１以下の音量「切り」の切り換え制御に、音量「切り」であればステップＳ６１以下の「大」の切り換え制御にそれぞれ移行する。例えば、ステップＳ３３以下の音量「中」の切り換え制御で代表して説明すると、ＬＥＤ「中」のものを点滅して音量「中」での切り換えに移行したことを表示し、ステップ３４で音量「中」に対応する報知データＤによる音声報知を開始する。次いで、次の切り換え操作が行われたかどうかを判定しながら、報知データＤのうちの音声データＤ１＋切り換え有効待ち時間ｔが終了するまで繰り返す。次の切り換え操作なしにＤ１＋ｔが終了するとステップＳ３２で確認した音量「中」への切り換えを有効とし、ステップＳ３７に進んで音量「中」に切り換え設定し、ステップＳ３８でＬＥＤ「中」を点灯させて音量「中」への切り換え設定が終了したことを表示する。次いで、ステップＳ５７に移行して報知データＤの音量の切り換え設定が行われたことを報知するデータＤ３の報知の終了を待ってリターンする。ステップＳ３５で次の切り換え操作があると、音量「中」での報知データＤによる報知制御を中断して、音量「中」の後位段である音量「小」についての切り換え制御に移行する。つまり、ステップＳ４１以下の制御に移行する。ステップＳ３２で現在音量が「中」のときステップＳ４１以下の音量「小」での切り換え制御に移行する場合も、ステップＳ３２で現在音量が「切り」でステップＳ５１以下の音量「切り」での切り換え制御に移行する場合も、ステップＳ３２で音量が「切り」でステップ６１以下の音量「大」での切り換え制御に移行する場合も制御は特に変わらないので説明は省略するが、ステップＳ５１以下の音量「切り」への切り換え制御では、図示するようにステップＳ３２で判定した現切り換えのＬＥＤ「小」を点滅させて制御を開始し、切り換えが有効になるとＬＥＤ「小」を消灯させるのが使用者に分かりやすく好適となる。
【００６０】
さらに、本実施の形態では、ドア１ａの開閉をドア開閉検知手段８によって検知し、ドア１ａの閉じ異常などドア１ａの開閉状態を音声で報知する場合、運転をスタートさせるスタートスイッチ１６と、ドア開閉検知手段８と、音声報知手段３１ａとを利用して、スタートスイッチ１６からのスタート入力があったとき、制御手段３４によってドア開閉検知手段８の検知状態に応じて音声報知手段３１ａによる音声での報知内容を「ドアが開いています」「ドアが完全に締まっていません」「ドアが開いています」などと変更する。これにより、食器洗い機における食器洗浄の予備作業を終了すると使用者はスタートスイッチ１６を操作して運転をスタートさせることになるが、このスタート時に制御手段３４が音声報知手段３１ａによるドア開閉検知手段８の検知状態に応じ音声での報知内容を上記のように変えるので、運転スタート時におけるドア開閉の検知状態の違いを使用者に明確に伝えることができる。このように、運転のスタート時にドア開閉の検知状態に応じ音声での報知内容を変えて、ドア開閉の検知状態の違いを使用者に明確に伝えると、使用者は運転スタートに際しドア１ａの開閉状態を的確に知って閉じ異常があれば即時に対応できるし、閉じ異常がなければ安心して次の作業に移れる。
【００６１】
ここで、閉じ異常に使用者が対応し閉じ異常を解消したときは、その旨の音声報知を伴い、または音声報知なしに再スタート操作で「・・コースで運転を開始します」などの報知を伴い運転を開始させ、閉じ異常がなければそのまま音声報知を伴い運転を開始させられるようにすれば使用に便利なものとなる。
【００６２】
特に、ドア開閉検知手段８は図１に示すようにドア１ａの左右の開閉状態を検出するドア開閉検知手段８ａ、８ｂ・・など、ドア１ａの複数箇所に対応して複数有し、制御手段３４によって複数のドア開閉検知手段８ａ、８ｂ・・の検知状態が全て開であるとき、ドア１ａは完全に開き状態であって運転をスタートする状況ではないことも踏まえ、音声での報知を行わないようにする。これにより、ドア１ａの開閉状態が複数のドア開閉検知手段８ａ、８ｂ・・によってドア１ａの複数個所にて検知され、ドア１ａの拗れや閉じ位置へのロック機構の弾性的な反発などが影響して部分的に閉じ状態に差ができるようなことに、複数のドア開閉検知手段８ａ、８ｂ・・の検知状態の違いとして対応し、運転スタート時における複数のドア開閉検知手段８ａ、８ｂ・・によるドア開閉の検知状態の違いのうち、全ての検知状態が開か否かを、音声での報知を行うことと、行わないこととの違いとして使用者に明確に伝えることができる。このように、ドア１ａの複数箇所での部分的な開閉状態の差に複数箇所でのドア開閉の検知状態の違いを対応させて、運転スタート時に全ての検知状態が開か否かを、音声での報知の有無として使用者に明確に伝えると、使用者はスタート時ドア開閉に関する音声報知がなければ閉じ異常なしとして安心して次の作業に移れる。また、無闇な音声報知により使用者への煩わしさや他の機器報知の聞き取りに影響を与えることがない。
【００６３】
また、複数のドア開閉検知手段８ａ、８ｂ・・の検知状態が全て閉に変化したとき、制御手段３４によって音声での報知を行うことにより、ドア開閉の複数の検知状態の全てが閉に変化したことに対応して、制御手段３４が音声での報知を行うので、ドア１ａが完全な閉じ状態に変化したことを使用者に明確に伝えることができる。この場合の音声は「ドアが閉まりました、・・コースで運転を始めます」「・・コースで運転を始めます」などとすればよい。このように、ドア開閉の複数の検知状態の全てが閉に変化したことに対応して音声での報知を行い、ドア１ａが完全な閉じ状態に変化したことを使用者に明確に伝えると、使用者は見過しがちなドア１ａの部分的な閉じ異常に意を使うことなく、閉じ異常なしとして安心して次の作業に移れる。
【００６４】
また、複数のドア開閉検知手段８ａ、８ｂ・・の検知状態に開と閉とが複合しているか否かに対応して、制御手段３４によって音声での報知内容を「ドアが完全に閉まっていません」と「無音声」「ドアが閉まりました、・・コースで運転を始めます」または「・・コースで運転を始めます」などとに変更することにより、ドアの開閉状態が複数のドア開閉検知手段８ａ、８ｂ・・によってドア１ａの複数個所にて検知され、ドア１ａの部分的に閉じ状態に差ができるようなことに、複数のドア開閉検知手段８ａ、８ｂ・・の検知状態の違いとして対応させ、制御手段３４によってドア開閉の複数の検知状態に開と閉とが複合しているか否かで、音声での報知内容を変更し、ドア１ａが部分的に開いているような閉じ異常の有無を使用者に明確に伝えることができる。このように、ドア１ａの複数箇所での部分的な開閉状態の差に複数箇所でのドア開閉の検知状態の違いを対応させて、複数の検知状態に開と閉とが複合しているか否かで音声での報知内容を変更すると、ドア１ａが部分的に開いているような閉じ異常の有無を使用者に明確に伝えられ、使用者は見過しがちなドア１ａの部分的な閉じ異常に意を使うことなく、閉じ異常の有無を知って即時に対応したり、安心して次の作業に移ったりすることができる。
【００６５】
次に、制御装置１２による図６に示す具体的なドア開閉状態報知の制御例につき説明すると、ステップＳ２１でスタートスイッチ１６のオンが確認されると、ステップＳ２２にてドア開閉検知手段８ａのオンを判定し、オンであるとステップＳ２３にてドア開閉検知手段８ｂのオンを判定する。ドア開閉検知手段８ａ、８ｂの双方がオンでドア１ａが完全に閉じている条件にてステップＳ２４に進み音声報知Ａを「・・コースで運転を開始します」などの音声にて行ないリターンする。
【００６６】
ステップＳ２２でドア開閉検知手段８ａがオフであると、ステップＳ２５に進んでドア開閉検知手段８ｂがオンであるかどうか判定する。ドア開閉検知手段８ａ、８ｂの双方がオフであるとドア１ａは完全にあるいは使用者にとって一目瞭然な開き状態にあるので、音声報知を省略してリターンする。
【００６７】
ステップＳ２５でドア開閉検知手段８ｂがオフであるとステップＳ２６でドア開閉検知手段８ａがオンかどうか判定し、ステップＳ２６およびステップＳ２３でドア開閉検知手段８ｂがオフであるとき、共にドア開閉検知手段８ａ、８ｂのどちらかがオンで、どちらかがオフとなってオンとオフとが複合し、ドア１ａが部分的に開いた閉じ異常であるので、ステップＳ２７にて音声報知Ｂを「ドアが完全に閉まっていません」などの音声にて行いリターンする。なお、ステップＳ２６でドア開閉検知手段８ａがオンであるときドア１ａは完全に開いているので既述した通り音声報知を省略してリターンする。
【産業上の利用可能性】
【００６８】
本発明は食器洗い機における音報知の音量を必要や希望に応じて切り換えられる。
【図面の簡単な説明】
【００６９】
【図１】本発明に係る実施形態の食器洗い機の概略を示すブロック構成図である。
【図２】図１の食器洗い機に備えた操作パネルの模式図である。
【図３】図１の食器洗い機での制御装置による報知処理の具体例を示すフローチャートである。
【図４】図１の食器洗い機での制御装置が報知音量の切り換え操作に対応して音声告知するのに用いる報知データと、その処理例を示す説明図である。
【図５】図４の報知データを用いて制御装置による報知音量の切り換え処理の具体例を示すフローチャートである。
【図６】図１の食器洗い機での制御装置によるドア開閉状態の音声報知処理の具体例を示すフローチャートである。
【図７】従来の食器洗い機を示す斜視図である。
【符号の説明】
【００７０】
１  本体
１ａ  ドア
１ｂ  開口
２  洗浄槽
３  給水弁
４  洗浄ポンプ
５  ヒータ
６  排水ポンプ
７  送風ファン
８、８ａ、８ｂ  ドア開閉検知手段
９  温度検知手段
１０  水位検知手段
１２  制御装置
１３  操作パネル
１６  スタートスイッチ
２１  入力手段
２２  操作表示手段
３１  報知手段
３１ａ  音声報知手段
３１ｂ  メロディ報知手段
３１ｃ  ブザー報知手段
３５  音量切り換え手段
３５ａ、３５ｂ、３５ｃ  ＬＥＤ
１３５  音量表示手段
【図１】
2007267955.tif 000003
【図２】
2007267955.tif 000004
【図３】
2007267955.tif 000005
【図４】
2007267955.tif 000006
【図５】
2007267955.tif 000007
【図６】
2007267955.tif 000008
【図７】
2007267955.tif 000009